(57)【要約】      （修正有）【課題】使用者が楽に荷物を運搬することが可能な台車を提供すること。【解決手段】複数の車輪を有する台本体１と、この台本体に取り付けられるハンドル２と、を備え、前記台本体は、第一積載部１１と、人が乗車可能なスペースを有する乗車部となる第二積載部１２とを有し、前記ハンドルは、第一積載部と第二積載部の間に配置されると共に、第二積載部に設けられている車輪は、インホイールモータにより駆動される駆動輪４であることを特徴とする。【選択図】図１
2019051840.tif 000002
【特許請求の範囲】
【請求項１】
複数の車輪を有する台本体と、この台本体に取り付けられるハンドルと、を備え、
前記台本体は、第一積載部と、第二積載部と、を有し、
前記ハンドルは、第一積載部と第二積載部の間に配置されていることを特徴とする台車。
【請求項２】
前記第二積載部は、人が乗車可能なスペースを有する乗車部であることを特徴とする、請求項１に記載の台車。
【請求項３】
前記複数の車輪の内、少なくとも１つは、前記第二積載部に設けられていることを特徴とする、請求項１又は２に記載の台車。
【請求項４】
前記複数の車輪の内、少なくとも１つは、駆動輪であることを特徴とする、請求項１〜３の何れかに記載の台車。
【請求項５】
前記駆動輪は、インホイールモータにより駆動されることを特徴とする、請求項４に記載の台車。
【請求項６】
前記ハンドルの高さは、前記第一積載部の側辺の長さ以下に形成されていることを特徴とする、請求項１〜５の何れかに記載の台車。
【発明の詳細な説明】
【技術分野】
【０００１】
本発明は、荷物の運搬等に用いられる台車に係るものである。
【背景技術】
【０００２】
従来から、倉庫や工場における荷物の運搬や、引越作業等、様々な場面で台車が用いられている。
【０００３】
また、特に汎用されているハンドルが設けられた手押し式の台車は、通常、多量の物品が積載されている場合に、前輪を浮かせて段差等の障害物を乗り越えることが困難となる。このため、台車の後端に足を載置する部分を設け、前輪を浮かせる作業を容易にした台車が複数提案されている。
【０００４】
例えば、特許文献１には、台車後部に足踏みペダルを設け、この足踏みペダルを踏むことで、足踏みペダルと走行車輪とを連結する乗り越え部材が起立し、走行車輪が浮き上がることが可能な台車が記載されている。
【０００５】
また、特許文献２には、台車後部に、蝶番を介してステップを設けることで、使用時のみステップを後方に突出させることが可能な台車が記載されている。
【先行技術文献】
【特許文献】
【０００６】
【特許文献１】実用新案登録第３０６８２２４号公報
【特許文献２】実用新案登録第３０１４２７１号公報
【発明の概要】
【発明が解決しようとする課題】
【０００７】
しかしながら、特許文献１及び特許文献２に記載の台車を平坦な道で通常走行させる際は、常に手押しでの走行となるため、使用者の疲労が溜まりやすく、長時間の運搬作業に不向きであるという問題があった。
【０００８】
本発明は上記のような実状に鑑みてなされたものであり、使用者が楽に荷物を運搬することが可能な台車を提供することを課題とする。
【課題を解決するための手段】
【０００９】
上記課題を解決するために、本発明は、
複数の車輪を有する台本体と、この台本体に取り付けられるハンドルと、を備え、
前記台本体は、第一積載部と、第二積載部と、を有し、
前記ハンドルは、第一積載部と第二積載部の間に配置されていることを特徴とする。
【００１０】
本発明によれば、台本体の第一積載部と第二積載部の間にハンドルを配置することで、ハンドルの取り付け位置から、台本体における第一積載部側の端辺までの距離を短く設計することができ、通常の台車と比較して、より少ない力での方向転換が可能となる。
【００１１】
本発明の好ましい形態では、前記第二積載部は、人が乗車可能なスペースを有する乗車部であることを特徴とする。
【００１２】
このような構成とすることで、例えば、一方の足を乗車部に載せ、もう片方の足で地面を蹴ることで、荷物を運搬することができる。これにより、運搬時の腕への負担を軽減させることが可能となる。
【００１３】
本発明の好ましい形態では、前記複数の車輪の内、少なくとも１つは、前記第二積載部に設けられていることを特徴とする。
【００１４】
このような構成とすることで、使用者が第二積載部に大きく体重を掛けた場合であっても、本発明全体のバランスを維持することが可能となる。
【００１５】
本発明の好ましい形態では、前記複数の車輪の内、少なくとも１つは、駆動輪であることを特徴とする。
【００１６】
このような構成とすることで、使用者は、乗車部に両足を載せた状態で荷物を運搬することができ、運搬時の腕及び脚への負担を無くすことが可能となる。
【００１７】
本発明の好ましい形態では、前記駆動輪は、インホイールモータにより駆動されることを特徴とする。
【００１８】
このような構成とすることで、本発明の軽量化及びエネルギー伝達効率の向上を実現することが可能となる。
【００１９】
本発明の好ましい形態では、前記ハンドルの高さは、前記第一積載部の側辺の長さ以下に形成されていることを特徴とする。
【００２０】
このような構成とすることで、ハンドルを折り畳んで本発明を収納する際に、ハンドルが台本体から突出することがなく、コンパクトな形態にして収納しておくことが可能となる。
【発明の効果】
【００２１】
本発明によれば、使用者が楽に荷物を運搬することが可能な台車を提供することができる。
【図面の簡単な説明】
【００２２】
【図１】本発明の実施形態に係る台車の概略斜視図である。
【図２】本発明の実施形態に係る台車の側面図であって、（ａ）ハンドルを起立させた状態を示す図、（ｂ）ハンドルを折り畳んだ状態を示す図である。
【図３】本発明の実施形態に係る台車の底面図である。
【図４】本発明の実施形態に係る台車の第一の使用例を示す概略斜視図である。
【図５】本発明の実施形態に係る台車の第二の使用例を示す概略斜視図である。
【発明を実施するための形態】
【００２３】
以下、図面を用いて、本発明の実施形態に係る台車について説明する。なお、以下に示す実施形態は本発明の一例であり、本発明を以下の実施形態に限定するものではない。
【００２４】
図１に示す様に、本発明の実施形態に係る台車は、台本体１と、ハンドル２と、従動輪３と、駆動輪４と、操作部５と、ハンドル取付台座６と、ロッド７と、接続ケーブル８と、を備えている。
【００２５】
台本体１は、一対の端辺１ａと一対の側辺１ｂとにより上面視で略矩形状に構成され、底面に従動輪３が設けられた第一積載部１１と、底面に駆動輪４が設けられた第二積載部１２と、を有している。
【００２６】
第二積載部１２は、使用者Ａが乗車可能なスペースを有しており、乗車部としての使用が可能である。
また、図１において、第一積載部１１と第二積載部１２との面積比は約２：１となっているが、特にこれに限定されず、使用目的や使用状況に応じて、適宜設計変更可能である。
【００２７】
ハンドル２は、正面視で逆Ｕ字状に構成され、第一積載部１１と第二積載部１２の間に配置されている。さらに詳述すれば、ハンドル２は、端辺１ａ方向に間隔を置いて設けられた一対のハンドル取付台座６を介して台本体１と連結されている。また、ハンドル２の上部は、第二積載部１２方向に屈曲した形状となっている。
【００２８】
従動輪３は、本実施形態に係る台車の進行方向を変更するために、水平方向に回転自在となるように設けられている。
【００２９】
駆動輪４は、内部にインホイールモータが内蔵されており、回転動力を伝達するシャフト等の部材が不要となる。このため、本実施形態に係る台車の軽量化が可能となり、モータの動力を直接駆動輪４に伝達することからエネルギー伝達効率が向上する。
【００３０】
操作部５は、ハンドル２の上部における台本体１の端辺１ａと平行な部分に設けられており、スイッチ部５ａを有している。また、操作部５の両端部はスロットル５ｂとなっている。
スイッチ部５ａは、操作部５から接続ケーブル８を介した制御部９への電気的接続のＯＮ・ＯＦＦを切り替える電源スイッチや、インホイールモータの回転速度を変化させるスイッチ等を有している。
また、使用者Ａは、電気的接続がＯＮとなっている状態で、スロットル５ｂを掴んで回動させることでインホイールモータを駆動させることができ、回動方向によって本実施形態に係る台車を前進及び後退させることができる。
【００３１】
接続ケーブル８は、スイッチ部５ａの下方から延びており、台本体１の側辺１ｂ近傍に設けられた挿通孔Ｐを通り、後述する台本体１の底面に設けられた制御部９に電気的に接続される。この接続ケーブル８により、制御部９を介して、操作部５を用いた駆動輪４の駆動制御を行い、本実施形態に係る台車を操作することが可能となる。
なお、接続ケーブル８は、運搬時に使用者Ａの邪魔とならないよう、ハンドル２における台本体１と垂直な部分に設けられた固定リングＲを用いて、部分的にハンドル２に結束されている。
【００３２】
ロッド７は、端辺１ａと略平行となるように、一対のハンドル取付台座６に架設されている。
【００３３】
図２（ａ）に示す様に、台本体１の上面からハンドル２（操作部５）の上端までの高さｈは、ハンドル２の付け根から台本体１における第一積載部１１側の端辺１ａまでの長さｄ以下に構成されている。
【００３４】
ハンドル取付台座６の内部には、ロッド７を使用してハンドル２の折り畳みを行うことができる折り畳み機構（図示せず）が構成されている。即ち、ロッド７を足で押し下げることにより、ハンドル２を第一積載部１１側に回動させることができ、図２（ｂ）に示す様に、ハンドル２が折り畳まれた状態とすることができる。
【００３５】
図３に示す様に、従動輪３及び駆動輪４は、それぞれ２つずつ、台本体１の底面に左右対称に設けられている。制御部９は、駆動輪４に内蔵されたインホイールモータと電気的に接続されている。また、制御部９の内部には、バッテリー、インジケータ、コントローラ、ＥＣＵ（エンジンコントロールユニット）等が内蔵されている。
従動輪３及び駆動輪４の数は特に限定されず、例えば、従動輪３を１つにし、第一積載部１１の中央に設けても良いし、従動輪３及び駆動輪４を、それぞれ３つ以上設けても良い。
【００３６】
図４は、第二積載部１２を使用者Ａが乗車する乗車部として使用した際の使用例を示す図である。このように第一積載部には荷物Ｂを積載し、第二積載部１２には使用者Ａが起立した状態で乗車する。そして、両手で操作部５を操作することで、本実施形態に係る台車の操作し、荷物Ｂの運搬を行う。
【００３７】
図５は、第二積載部１２に荷物Ｂを積載した際の使用例を示す図である。このように使用することで、通常の台車と同様の積載スペースを確保することができる。また、第二積載部１２に荷物Ｂを積載した場合であっても、例えば図５に示す様に、第二積載部１２における側辺１ｂ近傍にスペースが残っている場合は、このスペースに両足を乗せて乗車することができる。そして、操作部５を操作することで、運搬時の腕及び脚への負担を無くすことができる。さらに、多量の荷物Ｂを積載することで第二積載部１２上に乗車するスペースが無くなった場合であっても、操作部５を操作することで、運搬時の腕への負担を無くすことができる。
【００３８】
本実施形態によれば、台本体１が、第一積載部１１と、第二積載部１２と、を有し、ハンドル２が、第一積載部１１と第二積載部１２の間に配置されていることで、ハンドル２の取り付け位置から、台本体１における第一積載部１１側の端辺１ａまでの距離を短く設計することができ、通常の台車と比較して、より少ない力での方向転換が可能となる。
【００３９】
また、第二積載部１２が、人が乗車可能なスペースを有する乗車部であることで、例えば、一方の足を乗車部に載せ、もう片方の足で地面を蹴ることで、荷物Ｂを運搬することができる。これにより、運搬時の腕への負担を軽減させることが可能となる。
【００４０】
また、第二積載部１２の底面に２つの駆動輪４が設けられていることで、使用者Ａが第二積載部１２に大きく体重を掛けた場合であっても、本発明全体のバランスを維持することが可能となる。
さらに、駆動輪４により、使用者Ａは、乗車部に両足を載せた状態で荷物Ｂを運搬することができ、運搬時の腕及び脚への負担を無くすことが可能となる。
【００４１】
また、駆動輪４が、インホイールモータにより駆動されることで、本実施形態に係る台車の軽量化及びエネルギー伝達効率の向上を実現することが可能となる。
【００４２】
また、ハンドル２の高さｈが、第一積載部１１の側辺１ｂの長さｄ以下に形成されていることで、ハンドル２を折り畳んで本実施形態に係る台車を収納する際に、ハンドル２が台本体１から突出することがなく、コンパクトな形態にして収納しておくことが可能となる。
【００４３】
なお、前記実施形態において示した各構成部材の諸形状や寸法等は一例であって、設計要求等に基づき種々変更可能である。
【００４４】
例えば、本実施形態では、ハンドル２を正面視で逆Ｕ字状としたが、正面視でＴ字状又は側面視で逆Ｌ字状に構成しても良い。このように構成した場合、ハンドル２を水平方向に自在に回転可能とすることができる。
【００４５】
また、本実施形態では、ハンドル２と操作部５を別体として構成したが、一体となる様に構成しても良い。即ち、ハンドル２における台本体１の端辺１ａと平行な部分が、スロットル５ｂとなるような構成としても良い。スイッチ部５ａは、ハンドル２における台本体１と垂直な部分に設けることもできる。
【００４６】
さらに、本実施形態では、スロットル５ｂにより、インホイールモータの駆動制御を行う構成としたが、ハンドル２の両端下部にプルレバーを設け、このプルレバーを引き上げる強さにより、駆動制御を行う構成としても良い。さらに、ハンドル２そのものの押圧操作により、駆動制御を行う構成としても良い。
【符号の説明】
【００４７】
１    台本体
１ａ  端辺
１ｂ  側辺
１１  第一積載部
１２  第二積載部
２    ハンドル
３    従動輪
４    駆動輪
５    操作部
５ａ  スイッチ部
５ｂ  スロットル
６    ハンドル取付台座
７    ロッド
８    接続ケーブル
９    制御部
Ｐ    挿通孔
Ｒ    固定リング
Ａ    使用者
Ｂ    荷物
【図１】
2019051840.tif 000003
【図２】
2019051840.tif 000004
【図３】
2019051840.tif 000005
【図４】
2019051840.tif 000006
【図５】
2019051840.tif 000007